【手続補正書】
【提出日】平成23年5月10日(2011.5.10)
【手続補正１】
【補正対象書類名】特許請求の範囲
【補正対象項目名】全文
【補正方法】変更
【補正の内容】
【特許請求の範囲】
【請求項１】
塔内の下部から気体である上昇流体を供給すると共に、前記塔内の上部から液体である下降流体を供給して、気体及び液体を向流接触させる接触塔において、
前記上昇流体及び下降流体の向流接触空間を形成するセルを、上昇流体及び下降流体の流路に沿って互いに隣接する上段側のセルと下段側のセルとが段違いになるように多段に設けたことと、
前記上段側のセルと前記下段側のセルとを隔壁により分離したことと、
各段の隔壁において、前記上段側のセルの下部側面には、当該隔壁に堰き止められて溜まった下降流体が前記下段側のセルに噴出するように複数の開口部を高さ方向に配列してなるか、若しくは高さ方向に伸びる縦長の開口部を横方向に複数配列してなる下降流体噴出孔が設けられると共に下降流体が溜まる領域よりも上方側には、当該下段側のセルからの上昇流体が当該上段側のセルに流入する上昇流体流入口が設けられていることと、を特徴とする接触塔。
【請求項２】
前記下降流体噴出孔には、下段側のセルを流れる上昇流体が当該下降流体噴出孔を介して上段側のセルへと流れ込むことを防止するために、前記隔壁に堰き止められた下降流体の量に応じて開閉する第１のシャッターが設けられていることを特徴とする請求項１に記載の接触塔。
【請求項３】
前記第１のシャッターは第１の付勢手段により付勢されて閉じられるように当該下降流体噴出孔の流出側に設けられ、上段側のセルに溜まった下降流体からの圧力により前記第１の付勢手段の付勢に抗して開かれることを特徴とする請求項２に記載の接触塔。
【請求項４】
前記下降流体噴出孔はセルの側面に設けられ、前記第１のシャッターはこの下降流体噴出孔を閉じる下降位置と、当該下降流体噴出孔を開く上昇位置との間で昇降するように構成され、上段側のセルに溜まった下降流体の浮力により下降位置から上昇することを特徴とする請求項２に記載の接触塔。
【請求項５】
前記下降流体噴出孔は更にセルの底面にも設けられ、前記第１のシャッターは前記下降位置において当該底面の下降流体噴出孔を閉じるように構成されていることを特徴とする請求項４に記載の接触塔。
【請求項６】
前記第１のシャッターは、上段側のセル側へ向けて横方向に突出する浮力調整部材を備えていることを特徴とする請求項４に記載の接触塔。
【請求項７】
塔内の下部から気体である上昇流体を供給すると共に、前記塔内の上部から液体である下降流体を供給して、気体及び液体を向流接触させる接触塔において、
前記上昇流体及び下降流体の向流接触空間を形成するセルを、上昇流体及び下降流体の流路に沿って互いに隣接する上段側のセルと下段側のセルとが段違いになるように多段に設けたことと、
前記上段側のセルと前記下段側のセルとを隔壁により分離したことと、
各段の隔壁において、前記上段側のセルの底面には、当該隔壁に堰き止められて溜まった下降流体が前記下段側のセルに噴出するように下降流体噴出孔が設けられると共に下降流体が溜まる領域よりも上方側には、当該下段側のセルからの上昇流体が当該上段側のセルに流入する上昇流体流入口が設けられていることと、を特徴とする接触塔。
【請求項８】
前記下降流体噴出孔はセルの底面に設けられ、この下降流体噴出孔を閉じる下降位置と、当該下降流体噴出孔を開く上昇位置との間で昇降するように構成され、上段側のセルに溜まった下降流体の浮力により下降位置から上昇する第１のシャッターが設けられていることを特徴とする請求項７に記載の接触塔。
【請求項９】
前記上昇流体流入口には、下段側のセルから上段側のセルへと流入する上昇流体の圧力に応じて当該上昇流体流入口の一部を開閉する第２のシャッターが設けられていることを特徴とする請求項１ないし８のいずれか一つに記載の接触塔。
【請求項１０】
前記第２のシャッターは第２の付勢手段により付勢されて閉じられるように前記上昇流体流入口の流出側に設けられ、上昇流体からの圧力により前記第２の付勢手段の付勢に抗して開かれることを特徴とする請求項９に記載の接触塔。
【請求項１１】
塔内の下部から液体である上昇流体を供給すると共に、前記塔内の上部から液体である下降流体を供給して、液体同士を向流接触させる接触塔において、
前記上昇流体及び下降流体の向流接触空間を形成するセルを、上昇流体及び下降流体の流路に沿って互いに隣接する上段側のセルと下段側のセルとが段違いになるように多段に設けたことと、
前記上段側のセルと前記下段側のセルとを隔壁により分離したことと、
各段の隔壁において、前記上段側のセルの下部側面には、当該上段側のセルに溜まった下降流体がその位置エネルギーにより前記下段側のセルに噴出するように複数の開口部を高さ方向に配列してなるか、若しくは高さ方向に伸びる縦長の開口部を横方向に複数配列してなる下降流体噴出孔が設けられると共に下降流体噴出孔よりも上方側には、当該下段側のセルからの上昇流体がその浮力により当該上段側のセルに流入する上昇流体流入口が設けられていることと、を特徴とする接触塔。
【請求項１２】
前記上段側のセルと前記下段側のセルとは、互いに一部が上下に積層された位置関係にあり、
前記下降流体の噴出孔は、前記上段側のセルの下部側面及び底面に設けられていることを特徴とする請求項１ないし１１のいずれか一つに記載の接触塔。
【請求項１３】
前記下降流体の噴出孔は、横方向若しくは縦方向に延びるスリット、または横方向若しくは縦方向に多数配列された孔部により構成されていることを特徴とする請求項１ないし１２のいずれか一つに記載の接触塔。
【請求項１４】
前記上昇流体の流入口は、横方向若しくは縦方向に延びるスリット、または横方向若しくは縦方向に多数配列された孔部により構成されていることを特徴とする請求項１ないし１３のいずれか一つに記載の接触塔。
【請求項１５】
前記セルの底面は、当該セルに設けられた噴出孔に向けて低くなるように傾斜していることを特徴とする請求項１ないし１４のいずれか一つに記載の接触塔。
【請求項１６】
塔内の下部から液体である上昇流体を供給すると共に、前記塔内の上部から液体である下降流体を供給して、液体同士を向流接触させる接触塔において、
前記上昇流体及び下降流体の向流接触空間を形成するセルを、上昇流体及び下降流体の流路に沿って互いに隣接する上段側のセルと下段側のセルとが段違いになるように多段に設けたことと、
前記上段側のセルと前記下段側のセルとを隔壁により分離したことと、
各段の隔壁において、前記下段側のセルの上部側面には、当該下段側のセルに溜まった上昇流体がその浮力により前記上段側のセルに噴出するように複数の開口部を高さ方向に配列してなるか、若しくは高さ方向に伸びる縦長の開口部を横方向に複数配列してなる上昇流体噴出孔が設けられると共に上昇流体噴出孔よりも下方側には、当該上段側のセルからの下降流体がその位置エネルギーにより当該下段側のセルに流入する下降流体流入口が設けられていることと、を特徴とする接触塔。
【請求項１７】
前記上段側のセルと前記下段側のセルとは、互いに一部が上下に積層された位置関係にあり、
前記上昇流体の噴出孔は、それぞれ前記下段側のセルの上部側面及び天井面に設けられていることを特徴とする請求項１６に記載の接触塔。
【請求項１８】
前記上昇流体の噴出孔は、横方向若しくは縦方向に延びるスリット、または横方向若しくは縦方向に多数配列された孔部により構成されていることを特徴とする請求項１６または１７に記載の接触塔。
【請求項１９】
前記下降流体の流入口は、横方向若しくは縦方向に延びるスリット、または横方向若しくは縦方向に多数配列された孔部により構成されていることを特徴とする請求項１６ないし１８のいずれか一つに記載の接触塔。
【請求項２０】
多数の前記セルを縦１列に配置したセル列が複数列配置され、各セル列に属するセルと、そのセル列に隣接するセル列のセルとが段違いに配置されていることを特徴とする請求項１ないし１９のいずれか一つに記載の接触塔。
【請求項２１】
前記各セル列は、一方向に沿って横に並んでいることを特徴とする請求項２０に記載の接触塔。
【請求項２２】
接触塔は円筒状に形成され、前記各セル列は同心円状に横に並んでいることを特徴とする請求項２０に記載の接触塔。
【請求項２３】
塔内の下部から気体である上昇流体が供給されると共に、前記塔内の上部から液体である下降流体が供給され、前記上昇流体及び下降流体の向流接触空間を形成するセルが、上昇流体及び下降流体の流路に沿って互いに隣接し、上段側のセルと下段側のセルとが段違いになるように多段に設けられると共に、前記上段側のセルと前記下段側のセルとが隔壁により分離された接触塔内にて、気体及び液体を向流接触させる処理方法であって、
各段の隔壁の上段側のセルの下部側面に、複数の開口部を高さ方向に配列するか、若しくは高さ方向に伸びる縦長の開口部を横方向に複数配列して設けられた下降流体噴出孔から、当該隔壁に堰き止められて溜まった下降流体を前記下段側のセルに噴出させる工程と、
前記下降流体が溜まる領域よりも上方側の各段の隔壁に設けられた上昇流体流入口から、前記下段側のセルからの上昇流体を前記上段側のセルに流入させる工程と、を含むことを特徴とする処理方法。
【請求項２４】
塔内の下部から気体である上昇流体が供給されると共に、前記塔内の上部から液体である下降流体を供給され、前記上昇流体及び下降流体の向流接触空間を形成するセルが、上昇流体及び下降流体の流路に沿って互いに隣接し、上段側のセルと下段側のセルとが段違いになるように多段に設けられると共に、前記上段側のセルと前記下段側のセルとが隔壁により分離された接触塔内にて、気体及び液体を向流接触させる処理方法であって、
各段の隔壁の上段側のセルの底面に設けられた下降流体噴出孔から、当該隔壁に堰き止められて溜まった下降流体を前記下段側のセルに噴出させる工程と、
前記下降流体が溜まる領域よりも上方側の各段の隔壁に設けられた上昇流体流入口から、前記下段側のセルからの上昇流体を前記上段側のセルに流入させる工程と、を含むことを特徴とする処理方法。
【請求項２５】
塔内の下部から液体である上昇流体が供給されると共に、前記塔内の上部から液体である下降流体が供給され、前記上昇流体及び下降流体の向流接触空間を形成するセルが、上昇流体及び下降流体の流路に沿って互いに隣接し、上段側のセルと下段側のセルとが段違いになるように多段に設けられると共に、前記上段側のセルと前記下段側のセルとが隔壁により分離された接触塔内にて、液体同士を向流接触させる処理方法であって、
各段の隔壁の上段側のセルの下部側面に、複数の開口部を高さ方向に配列するか、若しくは高さ方向に伸びる縦長の開口部を横方向に複数配列して設けられた下降流体噴出孔から、当該上段側のセルに溜まった下降流体をその位置エネルギーにより前記下段側のセルに噴出させる工程と、
前記下降流体噴出孔よりも上方側の各段の隔壁に設けられた上昇流体流入口から、下段側のセルからの上昇流体をその浮力により当該上段側のセルに流入させる工程と、を含むことを特徴とする処理方法。
【請求項２６】
塔内の下部から液体である上昇流体が供給されると共に、前記塔内の上部から液体である下降流体が供給され、前記上昇流体及び下降流体の向流接触空間を形成するセルが、上昇流体及び下降流体の流路に沿って互いに隣接し、上段側のセルと下段側のセルとが段違いになるように多段に設けられると共に、前記上段側のセルと前記下段側のセルとが隔壁により分離された接触塔内にて、液体同士を向流接触させる処理方法であって、
各段の隔壁の下段側のセルの上部側面に、複数の開口部を高さ方向に配列するか、若しくは高さ方向に伸びる縦長の開口部を横方向に複数配列して設けられた上昇流体噴出孔から、当該下段側のセルに溜まった上昇流体をその浮力により前記上段側のセルに噴出させる工程と、
前記上昇流体噴出孔よりも下方側の各段の隔壁に設けられた下降流体流入口から、上段側のセルからの下降流体をその位置エネルギーにより前記下段側のセルに流入させる工程と、を含むことを特徴とする処理方法。
【手続補正２】
【補正対象書類名】明細書
【補正対象項目名】発明の名称
【補正方法】変更
【補正の内容】
【発明の名称】接触塔及び処理方法
【手続補正３】
【補正対象書類名】明細書
【補正対象項目名】００１０
【補正方法】変更
【補正の内容】
【００１０】
本発明に係る接触塔は、塔内の下部から気体である上昇流体を供給すると共に、前記塔内の上部から液体である下降流体を供給して、気体及び液体を向流接触させる接触塔において、
前記上昇流体及び下降流体の向流接触空間を形成するセルを、上昇流体及び下降流体の流路に沿って互いに隣接する上段側のセルと下段側のセルとが段違いになるように多段に設けたことと、
前記上段側のセルと前記下段側のセルとを隔壁により分離したことと、
各段の隔壁において、前記上段側のセルの下部側面には、当該隔壁に堰き止められて溜まった下降流体が前記下段側のセルに噴出するように複数の開口部を高さ方向に配列してなるか、若しくは高さ方向に伸びる縦長の開口部を横方向に複数配列してなる下降流体噴出孔が設けられると共に下降流体が溜まる領域よりも上方側には、当該下段側のセルからの上昇流体が当該上段側のセルに流入する上昇流体流入口が設けられていることと、を特徴とする。
【手続補正４】
【補正対象書類名】明細書
【補正対象項目名】００１１
【補正方法】変更
【補正の内容】
【００１１】
別の発明に係わる接触塔は、塔内の下部から気体である上昇流体を供給すると共に、前記塔内の上部から液体である下降流体を供給して、気体及び液体を向流接触させる接触塔において、
前記上昇流体及び下降流体の向流接触空間を形成するセルを、上昇流体及び下降流体の流路に沿って互いに隣接する上段側のセルと下段側のセルとが段違いになるように多段に設けたことと、
前記上段側のセルと前記下段側のセルとを隔壁により分離したことと、
各段の隔壁において、前記上段側のセルの底面には、当該隔壁に堰き止められて溜まった下降流体が前記下段側のセルに噴出するように下降流体噴出孔が設けられると共に下降流体が溜まる領域よりも上方側には、当該下段側のセルからの上昇流体が当該上段側のセルに流入する上昇流体流入口が設けられていることと、を特徴とする。このとき、前記下降流体噴出孔はセルの底面に設けられ、この下降流体噴出孔を閉じる下降位置と、当該下降流体噴出孔を開く上昇位置との間で昇降するように構成され、上段側のセルに溜まった下降流体の浮力により下降位置から上昇する第１のシャッターを設けるようにしてもよい。
また、他の発明に係る接触塔は、塔内の下部から液体である上昇流体を供給すると共に、前記塔内の上部から液体である下降流体を供給して、液体同士を向流接触させる接触塔において、
前記上昇流体及び下降流体の向流接触空間を形成するセルを、上昇流体及び下降流体の流路に沿って互いに隣接する上段側のセルと下段側のセルとが段違いになるように多段に設けたことと、
前記上段側のセルと前記下段側のセルとを隔壁により分離したことと、
各段の隔壁において、前記上段側のセルの下部側面には、当該上段側のセルに溜まった下降流体がその位置エネルギーにより前記下段側のセルに噴出するように複数の開口部を高さ方向に配列してなるか、若しくは高さ方向に伸びる縦長の開口部を横方向に複数配列してなる下降流体噴出孔が設けられると共に下降流体噴出孔よりも上方側には、当該下段側のセルからの上昇流体がその浮力により当該上段側のセルに流入する上昇流体流入口が設けられていることと、を特徴とする。
【手続補正５】
【補正対象書類名】明細書
【補正対象項目名】００１２
【補正方法】変更
【補正の内容】
【００１２】
更にまた他の発明に係る接触塔は、塔内の下部から液体である上昇流体を供給すると共に、前記塔内の上部から液体である下降流体を供給して、液体同士を向流接触させる接触塔において、
前記上昇流体及び下降流体の向流接触空間を形成するセルを、上昇流体及び下降流体の流路に沿って互いに隣接する上段側のセルと下段側のセルとが段違いになるように多段に設けたことと、
前記上段側のセルと前記下段側のセルとを隔壁により分離したことと、
各段の隔壁において、前記下段側のセルの上部側面には、当該下段側のセルに溜まった上昇流体がその浮力により前記上段側のセルに噴出するように複数の開口部を高さ方向に配列してなるか、若しくは高さ方向に伸びる縦長の開口部を横方向に複数配列してなる上昇流体噴出孔が設けられると共に上昇流体噴出孔よりも下方側には、当該上段側のセルからの下降流体がその位置エネルギーにより当該下段側のセルに流入する下降流体流入口が設けられていることと、を特徴とする。
【手続補正６】
【補正対象書類名】明細書
【補正対象項目名】００１３
【補正方法】変更
【補正の内容】
【００１３】
下降流体噴出孔を備えた上記の各接触塔は、前記上段側のセルと前記下段側のセルとは、互いに一部が上下に積層された位置関係にあり、前記下降流体の噴出孔は、前記上段側のセルの下部側面及び底面に設けられるように構成してもよく、また上昇流体噴出孔を備えた接触塔は、前記上段側のセルと前記下段側のセルとは、互いに一部が上下に積層された位置関係にあり、前記上昇流体の噴出孔は、それぞれ前記下段側のセルの上部側面及び天井面に設けられるようにしてもよい。また、前記下降流体の噴出孔、上昇流体の噴出孔、上昇流体流入口や下降流体の流入口は、横方向若しくは縦方向に延びるスリット、または横方向若しくは縦方向に多数配列された孔部により構成されていることが好ましい。
【手続補正７】
【補正対象書類名】明細書
【補正対象項目名】００１４
【補正方法】変更
【補正の内容】
【００１４】
また気体を上昇流体とし、液体を下降流体とする接触塔において、下降流体噴出孔には、下段側のセルを流れる上昇流体が当該下降流体噴出孔を介して上段側のセルへと流れ込むことを防止するために、前記隔壁に堰き止められた下降流体の量に応じて開閉する第１のシャッターを設けてもよく、このとき前記第１のシャッターは第１の付勢手段により付勢されて閉じられるように当該下降流体噴出孔の流出側に設けられ、上段側のセルに溜まった下降流体からの圧力、即ち液圧により前記第１の付勢手段の付勢に抗して開かれるように構成してもよい。  
これとは別に、気体を上昇流体とし、液体を下降流体とする接触塔において、下降流体噴出孔が上段側のセルの底面にのみ設けられている場合には、この下降流体噴出孔を閉じる下降位置と、当該下降流体噴出孔を開く上昇位置との間で昇降するように構成され、上段側のセルに溜まった下降流体の浮力により下降位置から上昇する第１のシャッターを設けてもよい。